(57)【要約】      （修正有）【課題】カメラの駆動装置にあって、回動部材の磁石として、磁性パウダーを含む粘着体と一体形成することにより、小型化及び製造コストの改善を図った駆動装置を提供する。【解決手段】該カメラの駆動装置は、ベース体１、一体成形の磁石２１、磁石ヨーク３及び励磁コイル４を備える。また、磁石は磁性パウダーを有する粘着体であり、互いに異なる磁性の第一磁極Ｎと第二磁極Ｓを有する。磁石には基部２１１及び基部から延出するスイング軸２１２を形成する。磁石はベース体にヒンジ接続される。スイング軸は基部のベース体から離れた側に位置する。磁石ヨークはベース体に設置され、両端が磁石の一側に位置する。コイルは磁石ヨークをはめ込む。磁石は第一位置と第二位置との間に回動可能に位置する。【選択図】図２
0003171632.tif 000002
【実用新案登録請求の範囲】
【請求項１】
ベース体と、
磁性パウダーを含む粘着体からなり、一体成形され、前記ベース体にヒンジ接続され、互いに異なる磁性の第一磁極と第二磁極を有し、基部及び前記基部から延出し且つ前記基部の前記ベース体から離れた側に位置するスイング軸が形成された磁石と、
前記ベース体に設置され、両端が前記磁石の外周面側に位置する磁石ヨークと、
前記磁石ヨークにはめ込まれることにより、前記ベース体に設置される励磁用コイルと、
を備え、
前記磁石が相異なる第一位置と第二位置との間に回動可能に配置されていることを特徴とするカメラの駆動装置。
【請求項２】
前記ベース体は凸軸を有し、
前記基部には開口が形成され、
前記磁石は前記開口を介して前記ベース体の凸軸とヒンジ接続することを特徴とする請求項１に記載のカメラの駆動装置。
【請求項３】
前記磁石は、開口周囲において二つの対向する前記第一磁極の磁性エリアと二つの対向する前記第二磁極の磁性エリアが形成され、前記第一磁極の磁性エリアと前記第二磁極の磁性エリアが交互になるように配列されることを特徴とする請求項２に記載のカメラの駆動装置。
【請求項４】
前記コイルが通電されない場合、前記磁石は前記第一位置に位置し、
前記コイルが第一電流を通電された場合、前記磁石は前記第二位置に位置し、
前記コイルが前記第一電流と逆方向の第二電流を通電された場合、前記磁石は前記第一位置に位置することを特徴とする請求項３に記載のカメラの駆動装置。
【請求項５】
前記ベース体には凹部が形成され、
前記基部から延出して回動軸が形成され、
前記回動軸と前記スイング軸は前記基部の相対する両側にそれぞれ形成され、
前記磁石は前記回動軸により前記ベース体の凹部にヒンジ接続され、
前記基部には前記回動軸に対応する他端から延出して定位軸が形成されることを特徴とする請求項１に記載のカメラの駆動装置。
【請求項６】
前記磁石ヨークには、第一励磁部及び前記第一励磁部に連結する第二励磁部が形成され、
前記第一励磁部と前記第二励磁部は、内周部と、外周部と、前記内周部と前記外端面を接続する端面と、をそれぞれ有することを特徴とする請求項１に記載のカメラの駆動装置。
【請求項７】
前記第一励磁部と第二励磁部の外周部は内周部より長く、
前記第一励磁部と前記第二励磁の端面は内向きに窪んだ弧状曲面を呈することを特徴とする請求項６に記載のカメラの駆動装置。
【請求項８】
ベース体及び磁石を有し、
前記磁石は、磁性パウダーを含む粘着体からなり、一体成形され、前記ベース体にヒンジ接続され、互いに異なる磁性の第一磁極と第二磁極を有し、基部及び前記基部から延出し且つ前記基部の前記ベース体から離れた側に位置するスイング軸を形成し、
前記磁石には二つの対向する前記第一磁極の磁性エリア及び二つの対向する前記第二磁極の磁性エリアが形成され、
前記第一磁極の磁性エリアと前記第二磁極の磁性エリアは交互となるように配列され、
前記磁石は相異なる第一位置と第二位置との間に回動可能に配置されていることを特徴とするカメラの駆動装置。
【請求項９】
前記ベース体は凸軸を有し、
前記基部には開口が形成され、
前記磁石は前記開口を介して前記ベース体の凸軸とヒンジ接続することを特徴とする請求項８に記載のカメラの駆動装置。
【請求項１０】
前記ベース体には凹部が形成され、
前記基部から延出して回動軸が形成され、
前記回動軸と前記スイング軸は前記基部の相対する両側にそれぞれ形成され、
前記磁石は前記回動軸により前記ベース体の凹部にヒンジ接続され、
前記基部には前記回動軸に対応する他端から延出して定位軸が形成されることを特徴とする請求項８に記載のカメラの駆動装置。
【考案の詳細な説明】
【技術分野】
【０００１】
本考案は、駆動装置に関し、特にカメラの駆動装置に関するものである。
【背景技術】
【０００２】
現在のノートブックパソコン又は携帯電話などの電子装置は、いずれも静止画用カメラ又は撮影用カメラなどの小型カメラを搭載している。
【０００３】
図１は、上記カメラの駆動装置に用いられる回動部材１ａを示す図である。回動部材１ａは、磁石１１ａと、磁石１１ａの外側に形成されたプラスチックケース１２ａを有する。そのため、従来の回動部材１ａの構成によれば、プラスチックケース１２ａ内に収容できる大きさが限られているので、磁石１１ａを大きくすることが困難であった。一方で、磁石１１ａを大きくするために、回動部材１ａ自体を大きくすることも考えられるが、駆動装置が大型化してしまうという問題がある。
また、磁石１１ａは、焼結により形成されたブロック状の磁性体であり、即ち、磁石１１ａは、全体が磁性を有する磁性体であるため、磁力の強さを調整しようとする場合、磁石１１ａの大きさを変更することが必要となる。
【０００４】
更に、従来の回動部材１ａは、二つの工程により製造する必要がある。即ち、先ず、磁石１１ａをモールド内に設置し、次に埋め込み射出成形の方法でプラスチックケース１２ａを磁石１１ａの外側で成形する。従って、従来の回動部材１ａは生産製造において、高コストを招く恐れがある。
【０００５】
そこで、本考案者は、上記の欠点を改善するために、鋭意検討を行なった結果、合理的な設計で且つ上記の欠点を有効に改善する本考案を完成するに至った。
【考案の概要】
【考案が解決しようとする課題】
【０００６】
本考案において、駆動装置の磁石構造を設計により、小型化に貢献し、且つ生産コストを低減できるカメラの駆動装置を提供することを課題とする。
【課題を解決するための手段】
【０００７】
本考案は、ベース体、磁石、磁石ヨーク及び励磁コイルを有するカメラの駆動装置を提供する。前記磁石は、磁性パウダーを含む粘着体であり、一体成形され、且つ互いに異なる磁性の第一磁極と第二磁極を有する。又、前記磁石には基部及び前記基部から延出するスイング軸が形成される。又、前記磁石は前記ベース体にヒンジ接続される。前記スイング軸は前記基部の前記ベース体から離れた側に位置する。前記磁石ヨークは、前記ベース体に設置され、且つ前記磁石ヨークの両端は前記磁石の外周面側に位置する。前記励磁コイルは前記磁石ヨークにはめ込まれ且つ前記ベース体に設置される。前記磁石は相異なる第一位置と第二位置との間に回動可能に配置されている。
【０００８】
また、本考案は、ベース体と磁石を有するカメラの駆動装置を提供する。前記磁石は、磁性パウダーを含む粘着体からなり、一体成形され、且つ互いに異なる磁性の第一磁極と第二磁極を有する。前記磁石には基部及び前記基部から延出するスイング軸が形成される。前記磁石は前記ベース体にヒンジ接続される。前記スイング軸は前記基部の前記ベース体から離れた一側に位置する。前記磁石には二つの対向する前記第一磁極の磁性エリア及び二つの対向する前記第二磁極の磁性エリアが形成される。前記第一磁極の磁性エリアと前記第二磁極の磁性エリアは交互となるように配列される。前記磁石は相異なる第一位置と第二位置との間に回動可能に配置されている。
【考案の効果】
【０００９】
上述したように、従来の技術と比較して、本考案が提供する磁石は、磁石ヨークの磁力により駆動する時、優れた回動効果を有し、且つ駆動装置全体の体積の小型化に貢献する。更に、駆動装置の磁石の構造によりコストを削減できる。
【図面の簡単な説明】
【００１０】
【図１】従来のカメラの駆動装置の回動部材の分解図である。
【図２】本考案の第一実施例の部材分解図である。
【図３】本考案の第一実施例の磁石が第一位置に位置するときの立体図である。
【図４】本考案の第一実施例の磁石が第二位置に位置するときの立体図である。
【図５】本考案の第一実施例の磁石と板体が第一位置に位置するときの立体図である。
【図６】本考案の第一実施例の磁石と板体が第二位置に位置するときの立体図である。
【図７】本考案の第二実施例の部材分解図である。
【考案を実施するための形態】
【００１１】
(第一実施例)
図２〜図６は、本考案の第一実施例を示す図である。図２は、本実施例の部材分解図である。図３は、本実施例の磁石が第一位置に位置するときの立体図である。図４は、本実施例の磁石が第二位置に位置するときの立体図である。図５は、本実施例の磁石と板体が第一位置に位置するときの立体図である。図６は、本実施例の磁石と板体が第二位置に位置するときの立体図である。
【００１２】
図２を参照する。カメラの駆動装置は、ベース体１、回動部材２、磁石ヨーク３及び励磁コイル４を有する。ベース体１は、アパーチャ１１、円柱状の凸軸１２及び収容部１３を有する。回動部材２は、ベース体１の凸軸１２にヒンジ接続され、回動部材２、磁石ヨーク３及びコイル４は、ベース体１の収容部１３に設置される。
【００１３】
回動部材２は、一体成形された磁石２１であり、且つ磁石２１は、磁性パウダーを含む粘着体である。即ち、磁石２１は、粘着剤と磁性パウダーとを混合し、更に磁性パウダーを含んだ粘着剤を硬化させることにより、粘着体を形成したものである。より詳しく説明すれば、磁石２１は、磁性パウダーを含む粘着体を一体に射出成形される。磁石２１の大きさを変更せずに磁石２１の磁力の強さを調整する場合、磁石２１における磁性パウダーの重量比を調整することにより達成することができる。磁石２１は、基部２１１及び基部２１１から延出するスイング軸２１２が形成され、基部２１１の中心において凸軸１２の円柱形に対応するように開口２１３が形成されている。磁石２１は、開口２１３によりベース体１の凸軸１２とヒンジ接続され、スイング軸２１２は基部２１１のベース体１から離れた側に位置し、磁石２１は第一位置Ａ（図３を参照）と第二位置Ｂ（図４を参照）との間を回動可能に配置される。
【００１４】
次いで、磁石２１は、互いに異なる磁性の第一磁極Ｎと第二磁極Ｓを有する。磁石２１は、開口２１３の周囲に、第一磁極Ｎの磁性エリアが開口２１３を挟んで対向するように二つ形成され、と第二磁極Ｓの磁性エリアが開口２１３を挟んで対向するように二つ形成され、且つ第一磁極Ｎと第二磁極Ｓの磁性エリアが交互になるように配列している。
【００１５】
上記磁石２１の（磁性の基部２１１とスイング軸２１２を有する）構造により、本考案の回動部材２は、一つの工程だけで製造できる。
また、本考案の磁石２１によれば、従来技術では必要であったプラスチックケースが不要になり、回動部材２において、磁石２１が利用できる空間が広いため、空間利用率が非常に高く、且つ回動部材２における磁性材料（磁性パウダー）が占める割合を非常に高くすることができる。
【００１６】
磁石ヨーク３は、第一励磁部３１と、第一励磁部３１に連結する第二励磁部３２をが形成されている。第一励磁部３１と第二励磁部３２は、それぞれ内周部３１２、３２２と、外周部３１１、３２１と、内周部３１２、３２２と外周部３１１、３２１を接続する端面３１３、３２３とを有する。そのうち、第一励磁部３１の外周部３１１と第二励磁部３２の外周部３２１はそれぞれ内周部３１２、３２２より長く、第一励磁部３１の端面３１３と第二励磁部３２の端面３２３は、内向きに窪んだ弧状曲面になっている（図３を参照）。磁石ヨーク３の両端は、それぞれ磁石２１の第一磁極Ｎと第二磁極Ｓの外周面側に位置し、且つ磁石ヨーク３の両端面３１３、３２３と磁石２１の外周面は、ほぼ平行になっている。
【００１７】
下記において、図３と図４を参照しながら、本考案のカメラの駆動装置の実際の動作を説明する。
【００１８】
コイル４は、磁石ヨーク３の一端である第一励磁部３１に嵌められ、且つコイル４が電源（図示せず）に電気的に接続され、通電により磁石ヨーク３を励起して磁場（磁界）を発生させる。そのうち、コイル４が通電していない場合、磁石２１は第一位置Ａに位置する（図３を参照）。
【００１９】
磁石２１が第一位置Ａに位置し、且つコイル４に第一電流を通電した場合、磁石ヨーク３の第一励磁部３１と第二励磁部３２の両端から磁場が発生する。これにより、第一励磁部３１と第二励磁部３２の両端から発生する磁場と磁石２１が相互に反発し、磁石２１は反発による磁力作用により第二位置Ｂに回動する（図４を参照）。
【００２０】
その後、磁石２１が第二位置Ｂに位置し、且つコイル４に第一電流と逆方向の第二電流を通電した場合、磁石ヨーク３の第一励磁部３１と第二励磁部３２の両端から発生する磁場と磁石２１が相互に反発し、磁石２１は反発による磁力作用により第一位置Ａに回動する（図３を参照）。
【００２１】
また、磁石２１のスイング軸２１２は、板体５を設置することが可能であり（図５及び図６を参照）、板体５は、磁石２１の回動とともに、カメラのベース体１のアパーチャ１１を選択的に遮蔽する。板体５は、シャッター羽根、絞り羽根又はフィルター羽根であってもよい。
【００２２】
本考案と従来技術を比較すると、本考案の回動部材２は、一体成形してなる磁石２１であるため、同じ体積において、本考案の磁性材料（磁性パウダー）が占める体積比率は従来技術のものより高い。よって、本考案の磁石２１が磁石ヨーク３の磁力を受けて駆動するとき、より優れた回動効果が得られる。
【００２３】
更に、本考案の磁石２１の空間利用率は従来技術のものより高いため、回動部材が同じ磁力の磁石を使用する必要のある場合、本考案の磁石２１は、回動部材２全体の体積の縮小に貢献し、カメラの駆動装置の小型化を促進することができる。
【００２４】
また、本考案の磁石２１は、一体成形により製造され、且つ本考案の磁石２１の構造は、一つの工程だけで製造できるため、回動部材２の製造コストを有効に削減でき、回動部材２の製造を簡単化することができる。
【００２５】
(第二実施例)
図７は本考案の第二実施例における部材分解図である。第二実施例と第一実施例との主な相違点は下記の通りである。
【００２６】
ベース体１は、アパーチャ１１、円柱状の凹部１４及び収容部１３を有し、収容部１３は凹部１４と連通する。回動部材２はベース体１の凹部１４とヒンジ接続され、回動部材２、磁石ヨーク３及びコイル４はベース体１の収容部１３に設置される。
【００２７】
回動部材２は、一体成形された磁石２１であり、磁石２１は、基部２１１と基部２１１から延出するスイング軸２１２を有する。基部２１１の中心から延出して、凹部１４に対応するように円柱状の回動軸２１４が形成され、回動軸２１４とスイング軸２１２は基部２１１の相対する両側にそれぞれ形成される。磁石２１は回動軸２１４によりベース体１の凹部１４とヒンジ接続される。
【００２８】
更に、基部２１１は、回動軸２１４に対応する他端から延出して定位軸２１５が形成され、磁石２１のスイング軸２１２と定位軸２１５に板体（図示せず）が設置することが可能である。板体は磁石２１の回動に伴い、カメラのベース体１のアパーチャ１１を選択的に遮蔽する。板体はシャッター羽根、絞り羽根又はフィルター羽根であってもよい。
【００２９】
上述した磁石２１の（磁性の基部２１１、スイング軸２１２、回動軸２１４及び定位軸２１５を有する）構造設計により、本実施例の回動部材２も一つの工程だけで製造でき、磁石２１は回動部材２において空間利用率が非常に高く、且つ体積比率が非常に高くなることができる。
【００３０】
（実施例の可能効果）
本考案の実施例によれば、上述した一体成形してなる磁石２１は、磁石ヨーク３の磁力を受けて駆動する時、より優れた回動効果を有する。更に、回動部材２全体の小型化に貢献し、カメラの駆動装置の小型化を促進できる。又、本考案の磁石２１により、回動部材２の製造コストを有効に低減でき、回動部材２の製造を簡単化することができる。
更に、本考案の実施例によれば、磁石２１の大きさを変更せずに、磁石２１のに含有される磁性材料を調整することにより磁石２１の磁力の強さを調整することができる。
【００３１】
上述したものは、本考案の好ましい実施例に過ぎず、本考案の請求範囲を制限するものではない。
【符号の説明】
【００３２】
１      ベース体
１ａ    回動部材
１１ａ  磁石
１２ａ  プラスチックケース
１１    アパーチャ
１２    凸軸
１３    収容部
１４    凹部
２      回動部材
２１    磁石
２１１  基部
２１２  スイング軸
２１３  開口
２１４  回動軸
２１５  定位軸
３      磁石ヨーク
３１    第一励磁部
３１２  内周部
３１１  外周部
３１３  端面
３２    第二励磁部
３２２  内周部
３２１  外周部
３２３  端面
４      コイル
５      板体
Ａ      第一位置
Ｂ      第二位置
Ｎ      第一磁極
Ｓ      第二磁極
【図１】
0003171632.tif 000003
【図２】
0003171632.tif 000004
【図３】
0003171632.tif 000005
【図４】
0003171632.tif 000006
【図５】
0003171632.tif 000007
【図６】
0003171632.tif 000008
【図７】
0003171632.tif 000009